(57)【要約】      （修正有）【課題】設置する壁部の角度によらず、安全に階段を上り下りすることができる片持ち式の階段を形成するための階段用ステップを提供する。【解決手段】片持ち式の階段を形成するので、取付ける壁面１の角度に合わせて、前後する踏板部５が平面視において緩衝しないように、また、隣り合う上下の踏板部５の高さ位置を自在に調整して、壁面１に取付けることができる。さらに、固定部３と支持部４との間で三角形が形成されるように、固定部３の下部３３より斜め前方に向けて突出された補強部６の先端部６１を支持部４に取付けることにより、片持ち式であっても、踏板部５にかかる荷重に対する十分な強度を備えさせることができる。【選択図】図４
2014040700.tif 000002
【特許請求の範囲】
【請求項１】
壁部に複数個取付けられて、該壁部に片持ち式の階段を形成するための階段用ステップであって、前記階段用ステップは、壁部に取付けられる固定部の上部より支持部がその長手方向を前方に向けて片持ち状に突出され、該支持部の上面に踏板部が形成されると共に、前記固定部と支持部との間で三角形を形成するように、前記固定部の下部より斜め前方に向けて突出された補強部の先端部が前記支持部に取付けられていることを特徴とする階段用ステップ。
【請求項２】
前記支持部と補強部とは、それぞれ固定部に対して上下方向に回動可能に設けられていると共に、補強部の先端部は前記支持部の突出方向に対して移動可能に前記支持部に取付けられていることを特徴とする請求項１に記載の階段用ステップ。
【発明の詳細な説明】
【技術分野】
【０００１】
本発明は、壁面に片持ち式の階段を設けるための階段用ステップに関するものである。
【背景技術】
【０００２】
一般に、壁面に設けられる階段については、平行なフレームと、このフレームに懸架されるステップと、フレームに立設された支柱によって支持される手摺とからなる階段において、上記ステップをフレームに回動自在に支承するとともに、該ステップの回動を制止する固定手段を備えてなる法面設置用階段が開示されている（例えば、特許文献１）。
【先行技術文献】
【特許文献】
【０００３】
【特許文献１】特開平１１−２６９８８２号公報
【発明の開示】
【発明が解決しようとする課題】
【０００４】
しかしながら、前記従来の階段を構成する階段用ステップについては、ステップの左右両側部を支持するようになされた、いわゆる両持ち式の階段を形成するものであることから、階段が取付けられる壁面が急な角度になるに従い、前後する階段用ステップどうしが平面視において緩衝し、上る時に次の階段用ステップに足を引っ掛けたり、下る時に階段用ステップの奥行きが狭く、足を踏み外したりする等の危険が懸念されるものであった。
【０００５】
本発明は、前記の如き懸念を解消し、設置する壁部の角度によらず、安全に階段を上り下りすることができる片持ち式の階段を形成するための階段用ステップを提供せんとするものである。
【課題を解決するための手段】
【０００６】
上記目的を達成するために、本発明は次のような構成としている。
すなわち本発明に係る階段用ステップは、壁部に複数個取付けられて、該壁部に片持ち式の階段を形成するための階段用ステップであって、前記階段用ステップは、壁部に取付けられる固定部の上部より支持部がその長手方向を前方に向けて片持ち状に突出され、該支持部の上面に踏板部が形成されると共に、前記固定部と支持部との間で三角形を形成するように、前記固定部の下部より斜め前方に向けて突出された補強部の先端部が前記支持部に取付けられていることを特徴とするものである。
【０００７】
また本発明に係る階段用ステップは、前記支持部と補強部とは、それぞれ固定部に対して上下方向に回動可能に設けられていると共に、補強部の先端部は前記支持部の突出方向に対して移動可能に前記支持部に取付けられていることを特徴とするものである。
【発明の効果】
【０００８】
本発明に係る階段用ステップによれば、片持ち式の階段を形成するので、取付ける壁面の角度に合わせて、前後する踏板部が平面視において緩衝しないように、また、隣り合う上下の踏板部の高さ位置を自在に調整して、壁面に取付けることができる。さらに、前記固定部と支持部との間で三角形が形成されるように、前記固定部の下部より斜め前方に向けて突出された補強部の先端部を前記支持部に取付けることにより、片持ち式であっても、踏板部にかかる荷重に対する十分な強度を備えさせることができる。
【０００９】
また本発明に係る階段用ステップによれば、前記支持部と補強部とを、それぞれ固定部に対して上下方向に回動可能に設けていると共に、補強部の先端部を前記支持部の突出方向に対して移動可能に前記支持部に取付けているので、容易に、取付ける壁面の角度に合わせて、踏板部がほぼ水平となるように取付けることができる。
【図面の簡単な説明】
【００１０】
【図１】本発明に係る階段用ステップを用いて形成された階段の、正面図である。
【図２】図１の部分拡大図である。
【図３】図２の左側面図である。
【図４】本発明に係る階段用ステップの実施形態を示す左側面図である。
【図５】図４の平面図である。
【図６】図４の底面図である。
【図７】図４の正面図である。
【図８】図４の背面図である。
【図９】本発明に係る階段用ステップの別の実施形態を示す左側面図である。
【図１０】図９の平面図である。
【発明を実施するための形態】
【００１１】
次に、本発明を実施するための形態について図面を参照し、具体的に説明する。
図面において、１はコンクリート擁壁などの壁部、２は壁部１に複数取付けられて片持ち式の階段を形成するための階段用ステップ、３は固定部、４は支持部、５は踏板部、６は補強部であり、階段用ステップ２は、壁部１に取付けられる固定部３の上部３２より支持部４がその長手方向を前方に向けて片持ち状に突出され、該支持部４の上面に踏板部５が形成されると共に、前記固定部３と支持部４との間で三角形を形成するように、前記固定部３の下部３３より斜め前方に向けて突出された補強部６の先端部６１が前記支持部４に取付けられている。なお、固定部３、支持部４、補強部６のそれぞれは、並行に配置された２個の断面L型の鉄鋼製アングル材からなっている。
【００１２】
すなわち、固定部３は、所定の間隔をあけて並行に配置された２個の断面L型の鉄鋼製アングル材から構成されるものであって、アンカーボルトＡにより壁部１に取付けられるようになされている。また支持部４及び補強部６も、同様の２個の断面L型の鉄鋼製アングル材から構成されるものであって、この支持部４及び補強部６を構成するアングル材が、固定部３を構成するアングル材にそれぞれ取付けられて、並行な２個の三角形が形成されると共に、前記支持部４を構成する２個のアングル材上に踏板部５が固定されているものである。
【００１３】
かように、階段用ステップ２は、それぞれ２個のアングル材を組合わせて、三角形を形成するようになされた固定部３と支持部４と補強部６とを一対で備えてなり、そして、固定部３の上部３２よりその長手方向を前方に向けて片持ち状に突出された支持部４の上面に、踏板部５が架け渡されてボルト等によって固定されて、階段の１段分が形成されている。なお、固定部３は、そのアングル材１個に対して上下２箇所づつ、計４箇所に設けられた固定用孔３１にアンカーボルトAを挿入して壁部１に固定されており、そしてこの複数の階段用ステップ２が所定の間隔で壁部１に固定されて、片持ち式の階段が形成されている。
【００１４】
さらに、前記支持部４と補強部６とは、それぞれ固定部３に対して上下方向に回動可能に設けられていると共に、補強部６の先端部６１は前記支持部４の突出方向に対して移動可能に前記支持部４に取付けられている。すなわち、支持部４の基端部４１と固定部３の上部３２、および固定部３の下部３３と補強部６の基端部６２とが、それぞれボルトＢ１により軸支されており、このボルトＢ１を軸として上下方向に回動可能となされ、かつ、補強部６の先端部６１と支持部４の先端部４２とがそれぞれ固定ボルトＢ２で固定されていると共に、支持部４の先端部４２に、その長手方向に沿って設けられた前記固定ボルトＢ２が挿入可能な複数個の通孔４３によって、補強部６の先端部６１とを固定する箇所をずらすことができるようになされ、これによって、壁部１の角度に対応して、前記支持部４と補強部６とをそれぞれ固定部３に対して上下方向に回動させることにより、踏板部５をほぼ水平に配置することができるようになされている。
【００１５】
また、本実施形態においては、階段用ステップ２の５段分おきに、支持部４の先端４４に支柱を挿入・固定できる短管４５が取付けられた階段用ステップ２ａが設けられており、前記短管４５に支柱７が挿入・固定され、該支柱７に上下方向に４段の横ビーム８が取付けられて、柵体Ｓが形成されている。これにより、階段の利用者が転落するのを防止することができる。なお、階段用ステップ２ａにおいては、一方の支持部４が他方の支持部４より長尺になされており、踏板部５から突出されている。その突出された支持部４の先端４４に短管４５が取付けられている。
【００１６】
なお、図１に示す階段においては、階段の利用者は壁部１に対して斜め方向に上り下りするようになされているが、これに限定されるものではなく、壁部１に対して上下方向に上り下りするものであってもよい。
【００１７】
また、４段設けられている横ビーム８のうち、最上段の横ビーム８を緑色とし、更に支柱７の上端に取付けている支柱キャップを緑色に自発光するものとなして、その緑色が避難誘導の目印や経路を表すようになしてもよい。
【００１８】
さらに、上記形態では、固定部３、支持部４及び補強部６は、いずれも２個のアングル材から構成されているが、これに限定されるものではなく、例えば板材によって構成することや、アングル材と板材とを組合わせたもの等、本発明の要旨を逸脱しない範囲において任意の材料を使用して構成することができる。
【００１９】
上記に例示した形態の階段用ステップ２は、固定部３を壁部１に固定するアンカーボルトA、支持部４の基端部４１と固定部３の上部３２、および固定部３の下部３３と補強部６の基端部６２とを、それぞれ軸支するボルトＢ１、支持部４の先端部４２に補強部６の先端部６１を固定する固定ボルトＢ２、支持部４の上面に踏板部５を固定するボルト等、それらのボルトを取り外すことにより、固定部３、支持部４、踏板部５、補強部６に分解できることから、運搬時の容積が小さく、運搬効率が非常に優れ、また、現場での組立作業性がよい。更に、上記各部材の破損が発生した場合、破損した部材のみを交換することで、復旧が可能であるため、維持メンテナンス性が優れる。
【符号の説明】
【００２０】
１      壁部
２，２ａ階段用ステップ
３      固定部
３１    固定用孔
３２    上部
３３    下部
４      支持部
４１    基端部
４２    先端部
４３    通孔
４４    先端
４５    短管
５      踏板部
６      補強部
６１    先端部
６２    基端部
７      支柱
８      横ビーム
Ａ      アンカーボルト
Ｓ      柵体
Ｂ１    ボルト
Ｂ２    固定ボルト
【図１】
2014040700.tif 000003
【図２】
2014040700.tif 000004
【図３】
2014040700.tif 000005
【図４】
2014040700.tif 000006
【図５】
2014040700.tif 000007
【図６】
2014040700.tif 000008
【図７】
2014040700.tif 000009
【図８】
2014040700.tif 000010
【図９】
2014040700.tif 000011
【図１０】
2014040700.tif 000012